(57)【要約】【課題】映像表現を簡単な操作で実現する撮像装置、撮像方法およびプログラムを提供する。【解決手段】撮像装置１は、被写体を撮像し、この被写体の静止画データを生成する撮像部２と、所定の撮影時間の動画データを記録するショートムービー記録部６３と、撮像部２が生成した静止画データに対応する静止画を、ショートムービー記録部６３が記録する動画データの撮影時間に対応するフレーム数を複製して複製データを生成する動画生成部７８と、動画生成部７８が生成した複製データとショートムービー記録部６３が記録する動画データとを連結した連結動画データを生成する画像処理部７１と、を備える。【選択図】図１
2016144137.tif 000002
【特許請求の範囲】
【請求項１】
被写体を撮像し、該被写体の静止画データまたは動画データを生成可能な撮像部と、
前記撮像部が生成した前記静止画データに対応する静止画を、該静止画データの生成前に前記撮像部によって生成された前記動画データの撮影時間に対応するフレームの数だけ複製して並べた複製動画データを生成する動画生成部と、
前記動画生成部が生成した前記複製動画データと、前記静止画データの生成前に前記撮像部によって生成された前記動画データとを結合した結合動画データを生成する画像処理部と、
を備えたことを特徴とする撮像装置。
【請求項２】
前記撮像部に前記静止画データの生成を指示する指示信号の入力を受け付ける操作部をさらに備え、
前記動画生成部は、当該撮像装置が所定の撮影時間だけ前記撮像部に前記動画データを生成させる動画モードが設定されている場合において、前記操作部が前記指示信号の入力を受け付けたとき、前記複製動画データを生成することを特徴とする請求項１に記載の撮像装置。
【請求項３】
前記動画生成部は、前記撮像部が生成した前記静止画データの生成前に、前記撮像部によって生成された前記動画データがない場合、前記静止画データを当該撮像装置に設定された動画フォーマットのフレームレートの数だけ複製して前記複製動画データを生成することを特徴とする請求項１または２に記載の撮像装置。
【請求項４】
前記動画データを構成する複数のフレームのいずれか１つの画像データおよび前記静止画データに基づいて、前記結合動画データを代表するサムネイルデータを生成するサムネイル生成部と、
前記サムネイル生成部が生成した前記サムネイルデータに対応するサムネイルを表示可能な表示部と、
前記撮像部が前記静止画データを生成した場合、前記サムネイル生成部が生成した前記サムネイルを前記表示部に表示させる表示制御部と、
を備えたことを特徴とする請求項２または３に記載の撮像装置。
【請求項５】
前記サムネイル生成部は、前記動画データを構成する複数のフレームのいずれか１つの画像データおよび前記静止画データの各々に対してリサイズ処理を行ってリサイズ画像データを生成し、該リサイズ画像データと、撮影時刻が異なる別の前記動画データを結合可能なことを示す情報を表示する結合部を有するテンプレートデータと、を合成することによって前記サムネイルデータを生成することを特徴とする請求項４に記載の撮像装置。
【請求項６】
前記操作部は、前記複製動画データを結合させる位置を変更する変更信号の入力を受け付け可能であり、
前記画像処理部は、前記表示部が前記サムネイルを表示している場合において、前記操作部が前記変更信号の入力を受け付けたとき、前記複製動画データを前記動画データに結合する位置を変更して前記結合動画データを生成することを特徴とする請求項５に記載の撮像装置。
【請求項７】
前記表示部の表示領域上に重畳して設けられ、外部からの物体のタッチ位置を検出し、該タッチ位置に応じた位置信号の入力を受け付けるタッチパネルと、
前記タッチパネルが入力を受け付けた前記位置信号に基づいて、前記表示部が表示する前記結合部にタッチされたか否かを判定する判定部と、
を備え、
前記画像処理部は、前記判定部が前記結合部に対してタッチされたと判定した場合、撮影時刻が異なる別の前記動画データを前記結合動画データに結合することを特徴とする請求項６に記載の撮像装置。
【請求項８】
前記撮像部に前記動画データの生成を開始させる開始信号および前記動画データの生成を終了させる終了信号の入力を受け付ける動画スイッチをさらに備え、
前記撮像部は、当該撮像装置に前記動画モードが設定されている場合において、前記動画スイッチが前記開始信号の入力を受け付けたとき、前記動画データの生成を開始し、前記撮影時間内に前記動画スイッチが押下された場合、前記撮影時間を延長して前記動画データの生成を継続することを特徴とする請求項２に記載の撮像装置。
【請求項９】
前記動画データに対応する動画を表示可能な表示部と、
前記表示部の表示領域上に前記撮影時間を表示させる表示制御部と、
を備えたことを特徴とする請求項８に記載の撮像装置。
【請求項１０】
被写体を撮像し、該被写体の静止画データまたは動画データを生成可能な撮像部を備えた撮像装置が実行する撮像方法であって、
前記被写体の前記動画データを生成する第１撮像ステップと、
前記被写体の前記静止画データを生成する第２撮像ステップと、
前記第２撮像ステップにおいて生成した前記静止画データに対応する静止画を、該静止画データの生成前に前記第１撮像ステップにおいて生成した前記動画データの撮影時間に対応するフレームの数だけ複製して並べた複製動画データを生成する動画生成ステップと、
前記動画生成ステップにおいて生成した前記複製動画データと前記第１撮像ステップにおいて生成した前記動画データとを結合した結合動画データを生成する画像処理ステップと、
を含むことを特徴とする撮像方法。
【請求項１１】
被写体を撮像し、該被写体の静止画データまたは動画データを生成可能な撮像部を備えた撮像装置に、
前記被写体の前記動画データを生成する第１撮像ステップと、
前記被写体の前記静止画データを生成する第２撮像ステップと、
前記第２撮像ステップにおいて生成した前記静止画データに対応する静止画を、該静止画データの生成前に前記第１撮像ステップにおいて生成した前記動画データの撮影時間に対応するフレームの数だけ複製して並べた複製動画データを生成する動画生成ステップと、
前記動画生成ステップにおいて生成した前記複製動画データと前記第１撮像ステップにおいて生成した前記動画データとを結合した結合動画データを生成する画像処理ステップと、
を実行させることを特徴とするプログラム。
【発明の詳細な説明】
【技術分野】
【０００１】
本発明は、被写体を撮像して該被写体の画像データを生成する撮像装置、撮像方法およびプログラムに関する。
【背景技術】
【０００２】
近年、デジタルカメラ等の撮像装置において、録画ボタンが操作された時点から動画データの録画を開始し、一定時間経過後に録画ボタンが操作されなかった場合、動画データの録画を自動的に停止する一方、一定時間経過後に録画ボタンが操作された場合、動画データの録画時間を延長する技術が知られている（特許文献１参照）。
【先行技術文献】
【特許文献】
【０００３】
【特許文献１】特開２０００−６９４２８号公報
【発明の概要】
【発明が解決しようとする課題】
【０００４】
ところで、近年の撮像装置では、静止画撮影および動画撮影の両方を行うことができる。しかしながら、静止画と動画の表示は、それぞれ個別に行うのが一般的である。このため、新たな映像表現を簡単な操作で行うことができる技術が求められていた。
【０００５】
本発明は、上記に鑑みてなされたものであって、映像表現を簡単な操作で実現する撮像装置、撮像方法およびプログラムを提供することを目的とする。
【課題を解決するための手段】
【０００６】
上述した課題を解決し、目的を達成するために、本発明に係る撮像装置は、被写体を撮像し、該被写体の静止画データまたは動画データを生成可能な撮像部と、前記撮像部が生成した前記静止画データに対応する静止画を、該静止画データの生成前に前記撮像部によって生成された前記動画データの撮影時間に対応するフレームの数だけ複製して並べた複製動画データを生成する動画生成部と、前記動画生成部が生成した前記複製動画データと、前記静止画データの生成前に前記撮像部によって生成された前記動画データとを結合した結合動画データを生成する画像処理部と、を備えたことを特徴とする。
【０００７】
また、本発明に係る撮像方法は、被写体を撮像し、該被写体の静止画データまたは動画データを生成可能な撮像部を備えた撮像装置が実行する撮像方法であって、前記被写体の前記動画データを生成する第１撮像ステップと、前記被写体の前記静止画データを生成する第２撮像ステップと、前記第２撮像ステップにおいて生成した前記静止画データに対応する静止画を、該静止画データの生成前に前記第１撮像ステップにおいて生成した前記動画データの撮影時間に対応するフレームの数だけ複製して並べた複製動画データを生成する動画生成ステップと、前記動画生成ステップにおいて生成した前記複製動画データと前記第１撮像ステップにおいて生成した前記動画データとを結合した結合動画データを生成する画像処理ステップと、を含むことを特徴とする。
【０００８】
また、本発明に係るプログラムは、被写体を撮像し、該被写体の静止画データまたは動画データを生成可能な撮像部を備えた撮像装置に、前記被写体の前記動画データを生成する第１撮像ステップと、前記被写体の前記静止画データを生成する第２撮像ステップと、前記第２撮像ステップにおいて生成した前記静止画データに対応する静止画を、該静止画データの生成前に前記第１撮像ステップにおいて生成した前記動画データの撮影時間に対応するフレームの数だけ複製して並べた複製動画データを生成する動画生成ステップと、前記動画生成ステップにおいて生成した前記複製動画データと前記第１撮像ステップにおいて生成した前記動画データとを結合した結合動画データを生成する画像処理ステップと、を実行させることを特徴とする。
【発明の効果】
【０００９】
本発明によれば、迅速操作で、様々な映像表現が簡単に得られるという効果を奏する。
【図面の簡単な説明】
【００１０】
【図１】図１は、本発明の一実施の形態に係る撮像装置の機能構成を示すブロック図である。
【図２】図２は、本発明の一実施の形態に係る撮像装置が実行する処理の概要を示すフローチャートである。
【図３】図３は、本発明の一実施の形態に係る撮像装置の表示部が表示する静止画の一例を示す図である。
【図４】図４は、本発明の一実施の形態に係る撮像装置をショートムービーモードに設定する際の概要を模式的に示す図である。
【図５】図５は、本発明の一実施の形態に係る撮像装置が実行するショートムービーの概要を模式的に示す図である。
【図６】図６は、図２のショートムービー処理の概要を示すフローチャートである。
【図７】図７は、本発明の一実の形態に係る撮像装置の動画生成部が生成する動画データの一例を示す図である。
【図８】図８は、本発明の一実施の形態に係る撮像装置の画像処理部が実行する連結処理の概要を模式的に説明する図である。
【図９】図９は、本発明の一実施の形態に係る撮像装置のサムネイル生成部が生成するアルバムサムネイルの生成方法を模式的に説明する図である。
【図１０】図１０は、図２の動画処理の概要を示すフローチャートである。
【図１１】図１１は、本発明の一実施の形態に係る撮像装置の表示部が動画撮影において表示する画像の一例を示す図である。
【図１２】図１２は、本発明の一実施の形態に係る表示制御部が表示させるアイコンの遷移図である。
【図１３】図１３は、本発明の一実施の形態に係る撮像装置が実行するショートムービーの延長時間とアイコンの遷移との対応関係を示す図である。
【図１４】図１４は、本発明の一実施の形態に係る撮像装置が実行するショートムービーの延長時間とアイコンの遷移との対応関係を示す図である。
【図１５】図１５は、本発明の一実施の形態に係る撮像装置のサムネイル生成部が生成する動画サムネイルの生成方法を模式的に説明する図である。
【図１６】図１６は、本発明の一実施の形態に係る撮像装置が動画撮影の直後に表示する画像の一例を示す図である。
【図１７】図１７は、本発明の一実施の形態に係る撮像装置の表示部が表示するアルバムサムネイルの一例を示す図である。
【図１８】図１８は、本発明の一実施の形態に係る撮像装置の表示部が表示するアルバムサムネイルの一例を示す図である。
【図１９】図１９は、図２の再生表示処理の概要を示すフローチャートである。
【図２０】図２０は、本発明の一実施の形態に係るサムネイル生成部が生成する通常動画サムネイルの生成方法を模式的に説明する図である。
【図２１】図２１は、本発明の一実施の形態に係る撮像装置の表示部が表示するサムネイル表示の一例を示す図である。
【図２２】図２２は、図２の編集処理の概要を示すフローチャートである。
【図２３】図２３は、ユーザがサムネイルを選択する際の状況を示す図である。
【図２４】図２４は、本発明の一実施の形態に係る撮像装置の記録部が記録するアルバム毎のショートムービーのファイルを模式的に示す図である。
【図２５】図２５は、本発明の一実施の形態に係る画像処理部が連結させたショートムービーの動画ファイルの一例を示す図である。
【図２６】図２６は、本発明の一実施の形態に係る撮像装置の表示部が表示する通常動画サムネイルの一例を示す図である。
【発明を実施するための形態】
【００１１】
以下、図面を参照して、本発明を実施するための形態（以下、「実施の形態」という）について説明する。なお、以下に説明する実施の形態によって本発明が限定されるものではない。さらに、図面の記載において、同一の部分には同一の符号を付して説明する。
【００１２】
〔撮像装置の構成〕
図１は、本発明の一実施の形態に係る撮像装置の機能構成を示すブロック図である。図１に示す撮像装置１は、撮像部２と、表示部３と、タッチパネル４と、操作部５と、記録部６と、制御部７と、を備える。
【００１３】
撮像部２は、制御部７の制御のもと、被写体を撮像し、被写体の画像データを連続的に生成する。また、撮像部２は、被写体を連続的に撮像し、被写体の動画データを生成する。撮像部２は、被写体像を結像する光学系、該光学系が結像した被写体像を受光して光電変換を行うことによって被写体の画像データを生成するＣＣＤ（Charge  Coupled  Device）やＣＭＯＳ（Complementary  Metal  Oxide  Semiconductor）等の撮像素子と、光学系が集光した光の入射量を制限することで露出の調整を行う絞りと、撮像素子の状態を露光状態または遮光状態に設定するシャッタと、を有する。
【００１４】
表示部３は、撮像部２が生成した画像データに対応する画像、撮像部２が生成した動画データに対応する動画または撮像装置１に関する各種の情報を表示する。また、表示部３は、記録部６が記録する画像データに対応する画像を再生して表示する。表示部３は、液晶または有機ＥＬ（Electro  Luminescence）等の表示パネルを用いて構成される。
【００１５】
タッチパネル４は、表示部３の表示領域に重畳して設けられ、外部からの物体が接触したタッチ位置を検出し、このタッチ位置に応じた位置信号の入力を受け付け、この位置信号を制御部７へ出力する。
【００１６】
操作部５は、撮像装置１の各種操作に関する信号の入力を受け付ける。操作部５は、少なくとも静止画撮影を指示するレリーズ信号の入力を受け付けるレリーズスイッチ５１と、撮像部２に動画撮影の開始を指示する開始信号および撮像部２に動画撮影の終了を指示する終了信号の入力を受け付ける動画スイッチ５２と、撮像装置１の各種の操作信号の入力を受け付ける十字スイッチ５３と、十字スイッチ５３によって選択された設定等を決定する指示信号の入力を受け付けるＯＫスイッチ５４と、を有する。十字スイッチ５３およびＯＫスイッチ５４は、動画スイッチ５２が開始信号の入力を受け付けてから終了信号の入力を受け付けるまで撮像部２に被写体を連続的に撮像させて動画データを生成させる第１動画モード、または動画スイッチ５２から開始信号が入力されてから予め設定された時間（例えば４秒）だけ撮像部２に被写体を連続的に撮像させて動画データを生成させる第２動画モードであって、異なる撮影時刻に第２モードで撮像部２によって生成された複数の動画データを結合可能な第２動画モードを設定する指示信号の入力を受け付ける。
【００１７】
記録部６は、撮像部２が生成した画像データまたは撮像装置１に関する各種情報を記録する。記録部６は、撮像装置１が実行するプログラムを記録するプログラム記録部６１と、静止画データを記録する静止画データ記録部６２と、所定の時間だけ撮影された動画データであって、異なる撮影時刻で撮影され、特殊効果処理、フレームレートおよび動画フォーマットが同じ動画データと連結可能な動画データ（以下、「ショートムービー」という）を記録するショートムービー記録部６３と、動画スイッチ５２が撮像部２に動画撮影の開示を指示する開示信号の入力を受け付けてから撮像部２の動画撮影の終了を指示する終了信号の入力を受け付けるまで撮像部２が生成した動画データ（通常動画データ）を記録する動画データ記録部６４と、を有する。ここで、フレームレートとは、１５ｆｐｓ、２０ｆｐｓ、３０ｆｐｓ、５０ｆｐｓおよび６０ｆｐｓ等である。また、動画フォーマットとは、Ｈ．２６４、ＡＶＣＨＤ方式、ＭＰＥＧ４方式、ＡＶＩ方式およびＭＯＶ形式等の記録方式、画像サイズ、画質および特殊効果処理の有無や種別である。さらに、特殊効果処理とは、後述する画像処理部７１による複数の画像処理を組み合わせて視覚的な効果を生じさせる処理である。ここで、複数の画像処理とは、ソフトフォーカス処理、シェーディング処理、合成処理、ＨＤＲ処理および彩度強調処置等である。記録部６は、撮像装置１の外部から着脱自在に装着されるメモリカード、揮発性メモリおよび不揮発性メモリ等を用いて構成される。また、ショートムービー記録部６３は、特殊効果処理の種別、フレームレートおよび動画フォーマットの組み合わせ毎に生成された複数のアルバム（フォルダ）を有する。
【００１８】
制御部７は、撮像装置１を構成する各部を統括的に制御する。制御部７は、タッチパネル４から入力される信号または操作部５から入力される操作信号に基づいて、撮像装置１を構成する各部を制御する。制御部７は、ＣＰＵ（Central  Processing  Unit）等を用いて構成される。ここで、制御部７の詳細な構成について説明する。制御部７は、画像処理部７１と、設定部７２と、撮影制御部７３と、サムネイル生成部７４と、記録制御部７５と、表示制御部７６と、判定部７７と、動画生成部７８と、を有する。
【００１９】
画像処理部７１は、撮像部２が生成した画像データに対して所定の画像処理を行う。ここで、所定の画像処理とは、少なくともＡ／Ｄ変換処理、オプティカルブラック減算処理、ホワイトバランス調整処理、撮像部２の撮像素子がベイヤー配列の場合には画像データの同時化処理、カラーマトリクス演算処理、γ補正処理、色再現処理およびエッジ強調処理等を含む基本の画像処理を行う。また、画像処理部７１は、撮影時刻が異なる複数のショートムービーのデータを連結することによって一つの動画データを生成する。また、画像処理部７１は、画像データまたは動画データに対して、複数の画像処理を組み合わせることによって、視覚的な効果を生じさせる特殊効果処理を実行する。さらにまた、画像処理部７１は、ショートムービー記録部６３が記録するショートムービーまたは撮像部２が生成したショートムービー（動画データ）と、動画生成部７８によって生成されたショートムービーの撮影時間に対応するフレームの数だけ複製して並べた複製動画データまたは撮影時刻が異なる別のショートムービーとを結合した結合動画データを生成する。
【００２０】
設定部７２は、動画スイッチ５２から開始信号が入力されてから終了信号が入力されるまで撮像部２に被写体を連続的に撮影させて第１動画データを生成させる第１動画モード（以下、単に「通常動画モード」という）と、動画スイッチ５２から開始信号が入力されてから予め設定された時間（例えば４秒）だけ撮像部２に被写体を連続的に撮影させて第２動画データを生成させる第２動画モードであって、異なる撮影時刻に撮像部２によって生成された複数の第２動画データを結合可能な第２動画モード（以下、単に「ショートムービーモード」という）と、を設定する。具体的には、操作部５の操作に応じて、設定部７２が撮像装置１の動画モードを通常動画モードまたはショートムービーモードに設定する。
【００２１】
撮影制御部７３は、レリーズスイッチ５１からレリーズ信号が入力された場合、撮像部２に静止画撮影を実行させる。ここで、撮像部２における静止画撮影とは、撮像部２が出力した画像データに対し、画像処理部７１が所定の画像処理を施す動作をいう。このように処理が施された静止画データは、撮影制御部７３の制御のもと、静止画データ記録部６２に記録される。
【００２２】
また、撮影制御部７３は、動画スイッチ５２から動画開始が入力された場合、設定部７２の設定内容に応じた動画モードで撮像部２に動画撮影を開始させる。具体的には、撮影制御部７３は、設定部７２によって撮像装置１の動画モードが通常動画モードに設定されている場合、所定のフレームレートおよび動画フォーマットに従って、動画スイッチ５２が開始信号の入力を受け付けてから動画スイッチ５２が終了信号の入力を受け付けるまで撮像部２に動画を撮影させる通常動画モードの撮影を実行させる。これに対して、撮影制御部７３は、設定部７２によって撮像装置１の動画モードがショートムービーモードに設定されている場合、所定のフレームレートおよび動画フォーマットに従って、予め設定された時間（例えば４秒）だけ撮像部２に動画を撮影させるショートムービーモードの撮影を実行させる。通常動画モードで撮影された第１動画データ（以下、「通常動画データ」という）は、画像処理部７１によって画像処理が施された後、動画データ記録部６４に記録される。これに対して、ショートムービーモードで撮影された第２動画データ（以下、「ショートムービー」という）は、画像処理部７１によって画像処理が施された後、ショートムービー記録部６３に記録される。
【００２３】
さらに、撮影制御部７３は、撮像装置１がショートムービーモードに設定されている場合において、動画スイッチ５２が開始信号の入力を受け付けたとき、撮像部２に動画データを生成させる動画撮影を開始させ、ショートムービーの撮影時間内に動画スイッチ５２が押下された場合、ショートムービーの撮影時間を所定時間延長する。なお、本実施の形態では、ショートムービーの撮影時間を最長で８秒とする。
【００２４】
サムネイル生成部７４は、撮像部２の動画撮影が終了した場合、撮像部２が生成した動画データに基づいて、この動画データを代表するサムネイルデータ（以下、単に「サムネイル」という）を生成する。具体的には、サムネイル生成部７４は、通常動画モードで生成された通常動画データに対応する通常動画またはショートムービーモードで生成されたショートムービーに対応するショートムービー動画それぞれを代表するサムネイルを生成する。より具体的には、サムネイル生成部７４は、通常動画データまたはショートムービーに対してリサイズ処理を行ってリサイズ画像データを生成し、このリサイズ画像データと、撮影時刻が異なるショートムービーを結合可能なことを示す情報を表示する結合部（糊代領域）を有するテンプレートデータ（台紙）と、を合成することによってサムネイルを生成する。また、サムネイル生成部７４は、サムネイルにおけるリサイズ画像データに対応するリサイズ画像に対して、トリミング処理を行ってトリミング画像データを生成し、このトリミング画像データに撮影時刻が異なる別のショートムービーを結合可能なことを示す情報を表示する結合部を覆う領域まで拡大するリサイズ処理を行ってテンプレートに合成することによって通常動画モードで撮影された通常動画データを代表する第１動画サムネイル（以下、「通常動画サムネイル」という）を生成する。
【００２５】
また、サムネイル生成部７４は、画像処理部７１が生成した結合ショートムービーを代表するサムネイル（以下、「アルバムサムネイル」という）を生成する。具体的には、サムネイル生成部７４は、アルバムのショートムービーを構成する複数のフレームの最初の画像データおよび複製動画データを構成する静止画データの各々に対してリサイズ処理を行ってリサイズ画像データを生成し、このリサイズ画像データに対応するリサイズ画像と、撮影時刻が異なるショートムービーモードで撮影されたショートムービーを結合可能なことを示す情報を表示する結合部（表示領域または糊代）を有するテンプレートデータ（台紙）と、を合成することによってアルバムサムネイルを生成する。
【００２６】
記録制御部７５は、撮像部２が生成したショートムービーに対して、フレームレートおよび動画フォーマットを判定し、ショートムービー記録部６３にフレームレートおよび動画フォーマットそれぞれに生成されたアルバム毎に記録（格納）する。また、記録制御部７５は、ショートムービーモード（第２動画モード）で撮像部２によって生成された最新のショートムービー（動画データ）を、この最新のショートムービーの生成前にショートムービーモードで撮像部２によって生成された直前の動画データと関連付けてショートムービー記録部６３に記録する。さらに、記録制御部７５は、ショートムービーモード（第２動画モード）で撮像部２によって生成された最新のショートムービー（動画データ）の動画フォーマットに基づいて、最新のショートムービーをショートムービー記録部６３の動画フォーマット毎に生成されたアルバム毎に記録する。
【００２７】
表示制御部７６は、表示部３の表示態様を制御する。具体的には、表示制御部７６は、撮像部２が生成した静止画データに対応する静止画を表示部３に表示させる。また、表示制御部７６は、サムネイル生成部７４が生成したサムネイルを通常動画モードとショートムービーモードとで識別可能に表示部３に表示させる。さらに、表示制御部７６は、サムネイル生成部７４が生成したサムネイルに通常動画モードとショートムービーモードとで識別可能な情報を付加して表示部３に表示させる。
【００２８】
判定部７７は、ショートムービーに静止画データを接続可能であるか否かを判定する。また、判定部７７は、タッチパネル４から入力される位置信号に基づいて、表示部３が表示するアルバムサムネイルにおける撮影時刻が異なる他のショートムービーを接続可能なことを示す表示領域にタッチされたか否かを判定する。
【００２９】
動画生成部７８は、撮像部２が生成した静止画データに対応する静止画を、この静止画データの前に撮像部２によって生成されたショートムービーの撮影時間に対応するフレームの数だけ並べた複製動画データを生成する。また、動画生成部７８は、撮像部２が生成した静止画データに対応する静止画を、この静止画の前に撮像部２によって生成されたショートムービー（動画データ）がない場合、静止画データを撮像装置１に設定された動画モードのフォーマットのフレームレート（例えば６０ｈｐｓ）の数だけ順次複製して時系列に沿って並べた複製動画データを生成する。具体的には、動画生成部７８は、複製した静止画データに対応する静止画をフレーム毎に時系列に沿って順次並べて複製動画データを生成する。
【００３０】
〔撮像装置の処理〕
次に、撮像装置１が実行する処理について説明する。図２は、撮像装置１が実行する処理の概要を示すフローチャートである。
【００３１】
図２に示すように、まず、撮像装置１が撮影モードに設定されている場合（ステップS１０１：Ｙｅｓ）について説明する。この場合、表示制御部７６は、撮像部２が連続的に生成したライブビュー画像データに対応するライブビュー画像を表示部３に表示させる（ステップＳ１０２）。具体的には、図３に示すように、表示制御部７６は、撮像部２が連続的に生成したライブビュー画像データに対応するライブビュー画像Ｐ１を表示部３に表示させる。
【００３２】
続いて、レリーズスイッチ５１から静止画撮影の指示があった場合（ステップＳ１０３：Ｙｅｓ）において、撮像装置１にショートムービーモードが設定されているとき（ステップＳ１０４：Ｙｅｓ）、撮像装置１は、後述ステップＳ１０９へ移行する。
【００３３】
図４は、撮像装置１をショートムービーモードに設定する際の概要を模式的に示す図である。図４に示すように、表示制御部７６は、操作部５が操作され、動画のモードを設定する指示信号が入力された場合、通常動画を設定する通常動画用アイコン群Ｈ１００と、ショートムービーモードを設定するショートムービーアイコンＨ３とを一覧から選択可能に表示部３に表示させる。通常動画用アイコン群Ｈ１００には、互いに動画フォーマットが異なる通常動画モード１を設定する通常動画モード１アイコンＨ１と、通常動画モード２を設定する通常動画モード２アイコンＨ２と、を有する。ライブビュー画像Ｐ１の状況下で、撮影対象を観察しながらも、この表示を行うようにして、一覧表示された中から簡単操作で最適機能を選べるようにした。動画表現（動画フォーマット）は、画質の要求や、記録容量、再生時の環境や装置の仕様などを考慮してフレームレート、記録フォーマット、画像サイズおよび画素数など様々な要望で切換がなされる。このため、通常動画アイコン（通常動画モード１アイコンＨ１，通常動画モード２アイコンＨ２は、複数の設定が一覧からすぐに決定出来るようなユーザーインターフェースにしておくことが好ましい。そのため、ここでは、それを表すために通常動画用アイコン群Ｈ１００は複数あることを示している。これらはフレームレートや画素数などが違う動画撮影を即座に設定できるものである。また、この選択と同じ画面でショートムービーも同じ操作で選べるようにした。これは、撮影の対象をライブビュー画像Ｐ１で確認しながら、撮影対象の特徴や、再生時に期待される映像表現をユーザが考えることが多いからで、このような工夫によって、ユーザがワンタッチで、撮りたい動画を選べるようにして速写性も高め、動いている対象物の撮り逃しを防止している。ユーザは、操作部５の十字スイッチ５３を操作してショートムービーアイコンＨ３を選択し、ＯＫスイッチ５４を操作することによって、撮像装置１の動画モードをショートムービーモードまたは通常動画モードに即座に切換設定する。なお、通常動画モードおよびショートムービーモードは、ユーザが動画撮影を開始する前に操作部５を操作することによって撮像装置１に設定される。
【００３４】
ここで、通常動画とは、動画スイッチ５２の操作によって動画データの記録を開始し、再度、動画スイッチ５２が操作された場合、動画データの記録を終了するモードである。また、ショートムービーモードとは、ユーザが動画スイッチ５２を一回押下した場合、予め設定された特定時間（例えば４秒間）だけ動画データを記録するモードであって、特殊効果処理、フレームレートおよび動画フォーマットの種類が同一であり、前回に撮影したショートムービーと、最新（今回）のショートムービーとを連結することによって一つの動画データとするモードである。このような工夫で、例えば、一定時間内に再度録画されても、違う設定であれば同一とはみなさず、やみくもに動画を自動連結して、同一の動画として、ユーザの意志に反した動画となってしまうことを防止することも出来る。また、同じショートムービーの設定でも、撮影後にユーザに連結をするかしないか選ばせるような仕様としてもよい。なお、連結といっても、完全に一つの動画にしなくてもよく、動画を繋げる情報をショートムービー記録部６３（記録媒体）の動画ファイルその他に入れるだけにしても良い。その場合、後で、繋げたものを分離したり、再利用したりすることも可能である。後述する図２５のようなファイル形式にすれば、自由度の高い取捨選択が可能となる。
【００３５】
図５は、ショートムービーの概要を模式的に示す図である。図５に示すように、ショートムービーは、フレームレートおよび動画フォーマットの種類が同じ場合、フレームレートおよび動画フォーマットの種類が同一であり、前回に撮影したショートムービーＳＭ１（フレームＦ１→Ｆ２→・・・→Ｆｎ（ｎ＝３以上））と、最新のショートムービーＳＭ２（フレームＫ１→Ｋ２→・・・→Ｋｎ（ｎ＝３以上））とを連結することによって一つの結合動画データＳＭ１０とする（図５（ａ）→図５（ｂ））。この場合、画像処理部７１は、ショートムービーＳＭ１とショートムービーＳＭ２とを連結することによって一つの結合動画データＳＭ１０を生成する。これにより、シーンが異なる短い時間の動画データを繋ぐことによって、メリハリがあるとともに、想像を超えた印象的な動画となる。
【００３６】
図２に戻り、ステップＳ１０３以降の説明を続ける。
ステップＳ１０３において、レリーズスイッチ５１から静止画撮影の指示があった場合（ステップＳ１０３：Ｙｅｓ）において、撮像装置１にショートムービーモードが設定されていないとき（ステップＳ１０４：Ｎｏ）、撮像装置１は、ステップＳ１０５へ移行する。
【００３７】
続いて、撮影制御部７３は、撮像部２に静止画撮影を実行させる（ステップＳ１０５）。この場合、画像処理部７１は、撮像部２が生成した画像データ（ＲＡＷデータ）に対して所定の画像処理を行う。
【００３８】
その後、撮像装置１は、静止画サムネイルを生成して静止画データ記録部６２に記録する（ステップＳ１０６）。この場合、サムネイル生成部７４は、撮像部２が生成した画像データに対して、リサイズ処理したサムネイルを生成し、記録制御部７５は、サムネイル生成部７４が生成したサムネイルと、画像処理部７１が画像処理を施した画像データと、を対応付けて静止画データ記録部６２に記録する。
【００３９】
続いて、表示制御部７６は、撮像部２が生成した静止画データに対応する静止画を所定時間（例えば３秒）だけ表示部３に表示させる（ステップＳ１０７）。
【００４０】
その後、操作部５を介して撮像装置１の電源がオフになった場合（ステップＳ１０８：Ｙｅｓ）、撮像装置１は、本処理を終了する。これに対して、操作部５を介して撮像装置１の電源がオフになっていない場合（ステップＳ１０８：Ｎｏ）、撮像装置１は、ステップＳ１０１へ戻る。
【００４１】
ステップＳ１０９において、撮像装置１は、静止画を複数して模擬的な動画データを生成し、撮影時刻が異なる他のショートムービーと連結して一つの連結動画データを生成するショートムービー処理を実行する（ステップＳ１０９）。なお、ショートムービー処理の詳細は、後述する。ステップＳ１０９の後、撮像装置１は、ステップＳ１０８へ移行する。
【００４２】
ステップＳ１０３において、レリーズスイッチ５１から静止画撮影の指示がなかった場合（ステップＳ１０３：Ｎｏ）、撮像装置１は、ステップＳ１１０へ移行する。
【００４３】
続いて、動画スイッチ５２から開始信号が入力される動画撮影操作があった場合（ステップＳ１１０：Ｙｅｓ）、撮像装置１は、被写体を連続的に撮影して動画データを生成する動画撮影を行う動画処理を実行する（ステップＳ１１１）。なお、動画処理の詳細は、後述するステップＳ１１１の後、撮像装置１は、ステップＳ１０８へ移行する。
【００４４】
ステップＳ１１０において、動画スイッチ５２に対して動画撮影動作がなかった場合（ステップＳ１１０：Ｎｏ）、撮像装置１は、ステップＳ１０８へ移行する。
【００４５】
次に、撮像装置１が撮影モードに設定されていない場合（ステップＳ１０１：Ｎｏ）において、撮像装置１が再生モードに設定されているとき（ステップＳ１１２：Ｙｅｓ）、撮像装置１は、記録部６に記録された静止画データまたは動画データを再生して表示する再生表示処理を実行する（ステップＳ１１３）。なお、再生処理については、後述する。ステップＳ１１３の後、撮像装置１は、ステップＳ１０８へ移行する。
【００４６】
次に、撮像装置１が撮影モードに設定されていない場合（ステップＳ１０１：Ｎｏ）において、撮像装置１が再生モードに設定されていないとき（ステップＳ１１２：Ｎｏ）、撮像装置１は、後述するステップＳ１１４へ移行する。
【００４７】
続いて、撮像装置１が編集モードに設定されている場合（ステップＳ１１４：Ｙｅｓ）、撮像装置１は、静止画データまたは動画データを編集する編集処理を実行する（ステップＳ１１５）。なお、編集処理の詳細は、後述する。ステップＳ１１５の後、撮像装置１は、ステップＳ１０８へ移行する。
【００４８】
ステップＳ１１４において、撮像装置１が編集モードに設定されていない場合（ステップＳ１１４：Ｎｏ）、撮像装置１は、他の外部機器と通信を行って、静止画データや動画データを送信する通信処置や撮像装置１の各種設定を変更する、その他処理を実行する（ステップＳ１１６）。ステップＳ１１６の後、撮像装置１は、ステップＳ１０８へ移行する。
【００４９】
次に、図２のステップＳ１０９において説明したショートムービー処理の詳細について説明する。図６は、ショートムービー処理の概要を示すフローチャートである。
【００５０】
図６に示すように、撮影制御部７３は、撮像部２に静止画撮影を実行させる（ステップＳ２０１）。この場合、画像処理部７１は、撮像部２が生成した画像データ（ＲＡＷデータ）に対して所定の画像処理を行うことによって、現像処理を行い、ＪＰＥＧ方式で圧縮したＪＰＥＧ方式の静止画データを生成する。
【００５１】
続いて、撮影時刻が異なり、連結可能な他のショートムービーまたは連結動画データがある場合（ステップＳ２０２：Ｙｅｓ）、画像処理部７１は、ショートムービーまたは連結動画データを展開する（ステップＳ２０３）。具体的には、画像処理部７１は、例えばＨ．２６４方式で圧縮されたショートムービーまたは連結動画データをＹＣ４２０方式（非圧縮）に展開する。ステップＳ２０３の後、撮像装置１は、ステップＳ２０４へ移行する。これに対して、撮影時刻が異なり、連結可能な他のショートムービーまたは連結動画データがない場合（ステップＳ２０２：Ｎｏ）、撮像装置１は、ステップＳ２０４へ移行する。
【００５２】
続いて、動画生成部７８は、上述したステップＳ２０１のＪＰＥＧ方式で圧縮された静止画データを例えばＹＣ４２２方式（非圧縮）に展開し、この展開した静止画データを、ショートムービーの撮影時間に対応するフレームの数だけ順次複製して時系列に沿って並べた複製動画データを生成する（ステップＳ２０４）。
【００５３】
図７は、動画生成部７８が生成する動画データの生成方法を模式的に説明する図である。図７に示すように、動画生成部７８は、静止画データに対応する静止画Ｊ１を、撮影時刻が異なり、連結可能な他のショートムービーの動画フォーマットおよび撮影時間に応じたフレームの枚数を複製し（Ｊ１→Ｊ２→・・・→Ｊｎ（ｎは３以上の整数）、複製タイミング毎に時系列に沿って並べた複製動画データＣ１０を生成する（Ｊ１→Ｊ２→・・・→Ｊｎ（ｎは３以上の整数）。即ち、動画生成部７８は、静止画Ｊ１のフレーム（コマ）を水増しすることによって、模擬的な動画データを生成する。なお、動画生成部７８は、連結可能な他のショートムービーがない場合、撮像装置１に設定された動画モードのフォーマットのフレームレートの数だけ静止画データを複製して複製画像データを生成してもよい。さらに、動画生成部７８は、動画生成部７８は、連結可能な他のショートムービーがない場合、撮像部２が静止画データを生成した生成した後に、撮像部２がショートムービー（動画データ）を生成したとき、このショートムービーの動画フォーマットおよび撮影時間に応じたフレームの枚数を複製して複製動画データを生成してもよい。また、動画生成部７８は、静止画の結合を行う場合、フレームの数だけ複製するだけでなく、動画らしく見えるように複製した静止画を拡大縮小してもよく、拡大縮小の中心がピントを合わせ点や被写体の顔などでもよい。その他のトランジション効果や複数の画像処理を行うことによって視覚的な効果を生じさせる画像処理（ソフトフィルタ、シェーディング処理、ハイライト強調処理、トランジション処理および彩度強調処理）を施してもよい。また、動画生成部７８は、静止画と動画のアスペクト比が異なる場合、静止画および動画それぞれの顔の有無や位置で調整しても良い。例えば、動画生成部７８は、動画のアスペクト比が１６：９で、静止画が４：３または３：２でも、静止画内の被写体の顔がはみ出さないようなトリミング処理を行って複製動画データを生成してもよい。このように、動画も静止画も同じような考え方で統一されて仕様が成り立つので、自由自在の映像表現とすることが出来る。
【００５４】
続いて、画像処理部７１は、上述したステップＳ２０３でＹＣ４２０方式に展開したショートムービーまたは連結動画データと、動画生成部７８が生成した複製動画データとを連結する連結処理を実行する（ステップＳ２０５）。
【００５５】
図８は、画像処理部７１が実行する連結処理の概要を模式的に説明する図である。図８に示すように、画像処理部７１は、ショートムービーＳＭ１に、複製動画データＣ１０を連結して一つのショートムービーの連結動画データＱ１を生成する。この場合、画像処理部７１は、非圧縮状態の連結動画データＱ１に対して、圧縮処理、例えばＨ．２６４方式の圧縮処理を行う。
【００５６】
その後、サムネイル生成部７４は、ショートムービーのアルバムサムネイルを生成する（ステップＳ２０６）。具体的には、図９に示すように、サムネイル生成部７４は、連結動画データＱ１を構成する複数のフレームの画像データのうち、最初のショートムービーＳＭ１を構成するショートムービーのフレームの画像データに対応する画像Ｆ１と、複製動画データＣ１０を構成する複数のフレームの画像データのうち、最初のフレームの画像データに対応する画像Ｊ１とを取得する。続いて、サムネイル生成部７４は、取得した画像Ｆ１および画像Ｊ１それぞれに対して縮小するリサイズ処理を行ってリサイズ画像データに対応するリサイズ画像ｆ１，ｊ１を生成する。その後、サムネイル生成部７４は、リサイズ画像ｆ１，ｊ１を予め他のショートムービーと連結可能なことを示す情報を表示する表示領域Ｒ１を有するテンプレートＴ１に合成してショートムービーのアルバムサムネイルＵ１を生成する。この場合、サムネイル生成部７４は、画像処理部７１が連結動画データＱ１におけるショートムービーＳＭ１と複製動画データＣ１０を連結した順番に応じてリサイズ画像ｆ１，ｊ１の位置を決めてテンプレートＴ１に合成してアルバムサムネイルＵ１を生成する。具体的には、サムネイル生成部７４は、画像処理部７１がショートムービーＳＭ１の後に、複製動画データＣ１０を連結した場合、テンプレートＴ１の左側から順にリサイズ画像ｆ１およびリサイズ画像ｊ１を合成してアルバムサムネイルＵ１を生成する。なお、サムネイル生成部７４は、アルバムサムネイルの各リサイズ画像のアスペクト比をショートムービーと複製動画データとで異ならせても良い。例えば、サムネイル生成部７４は、アルバムサムネイルにおけるショートムービーに対応するリサイズ画像のアスペクト比を１６：９とし、静止画データを複製した複製動画データに対応するリサイズ画像のアスペクト比を３：４としてもよい。
【００５７】
続いて、表示制御部７６は、サムネイル生成部７４が生成したショートムービーのアルバムサムネイルＵ１を表示部３に所定時間（例えば３秒）だけ表示させる（ステップＳ２０７）。
【００５８】
その後、記録制御部７５は、画像処理部７１が生成した連結動画データＱ１とサムネイル生成部７４が生成した連結動画データＱ１のアルバムサムネイルＵ１とを対応付けてショートムービー記録部６３に記録する（ステップＳ２０８）。この場合、記録制御部７５は、ショートムービーモードで撮像部２によって生成された最新のショートムービーを、この最新のショートムービーの生成前にショートムービーモードで撮像部２によって生成された直前のショートムービーモードと関連付けてショートムービー記録部６３に記録する。即ち、記録制御部７５は、連結動画データＱ１に複製動画データＣ１０を関連付けてショートムービー記録部６３に記録する。ステップＳ２０８の後、撮像装置１は、図２のメインルーチンへ戻る。なお、ショートムービー同士や静止画、動画などを結合する際には、動画と動画（または静止画）の切り換わり(トランジション)に効果を入れる動画全体に画像処理を上掛けしてもよく、これはＳ２０３の展開時や、Ｓ２０４の静止画複製時などのステップで同時に行えば良い。さらに、ＢＧＭをつけるかどうかを選択するといった効果を選べるようにしても良い。例えば、ＢＧＭ有りなら、動画の記録音声とのミックスレベルを設定すればよく、ＢＧＭ無しなら、動画の記録音声の音量レベルを設定するような調整が出来てもよいが、このときは、図中では省略したが、動画と音声を関連づける信号を付与したり、音声情報に音声処理を施してから関連付けしたりすれば良い。
【００５９】
次に、図２のステップＳ１１１で説明した動画処理の詳細な処理について説明する。図１０は、動画処理の詳細な処理を示すフローチャートである。
【００６０】
図１０に示すように、撮影制御部７３は、撮像部２の動画撮影を開始する（ステップＳ３０１）。具体的には、撮影制御部７３は、記録部６に撮像部２が連続的に生成した画像データを格納する動画ファイルを生成させ、撮像部２に所定のフレームと動画フォーマットに従って動画撮影させるとともに、撮像部２が連続的に生成した画像データに対して画像処理部７１に画像処理を実行させて動画ファイルに記録させる。なお、フレームレートおよび動画フォーマットは、上述した図２のステップＳ１１６のその他の処理において、ユーザが操作部５を操作して所望のフレームレートおよび動画フォーマットを選択して設定することによって、撮像装置１に設定される。
【００６１】
続いて、撮像装置１がショートムービーモードに設定されている場合（ステップＳ３０２：Ｙｅｓ）、表示制御部７６は、ショートムービーの撮影可能なショートムービー時間を表示部３に表示させる（ステップＳ３０３）。具体的には、図１１に示すように、表示制御部７６は、撮像部２が生成した動画データに対応する動画ＬＶ１上に、ショートムービーの残り時間を示すアイコンＨ２０および動画中であることを示すアイコンＨ２１を重畳して表示部３に表示させる。アイコンＨ２０は、ショートムービーの残りの秒数を表示する時間領域Ｄ１と、秒数の減少を表示する減少領域Ｄ２と、を有する。
【００６２】
図１２は、表示制御部７６が表示させるアイコンの遷移図である。図１２において、図１２（ａ）が動画スイッチ５２の押下タイミングを示し、図１２（ｂ）がアイコンＨ２０の表示態様を示す。また、図１２（ａ）において、パルスの立ち下がりが動画スイッチ５２を押下したタイミングを示す。
【００６３】
図１２に示すように、表示制御部７６は、動画スイッチ５２が押下された場合（時刻ｔ0）、アイコンＨ２０を表示部３に表示させるとともに、ショートムービーの残り時間が減少するに従ってアイコンＨ２０の時間領域Ｄ１と減少領域Ｄ２とを遷移させて表示部３に表示させる（時刻ｔ0→時刻ｔ1→時刻ｔ2）。なお、表示制御部７６は、動画スイッチ５２が押下され続けられている場合であっても、ショートムービーの残り時間が減少するに従ってアイコンＨ２０の時間領域Ｄ１と減少領域Ｄ２とを遷移させて表示部３に表示させる。
【００６４】
ステップＳ３０３の後、動画スイッチ５２が操作された場合（ステップＳ３０４：Ｙｅｓ）、撮影制御部７３は、撮像部２のショートムービーの撮影時間を延長する（ステップＳ３０５）。この場合、表示制御部７６は、アイコンＨ２０の時間領域Ｄ１の時間を変更して表示部３に表示させる。これにより、ユーザは、ショートムービーの残りの撮影時間を直感的に把握することができる。
【００６５】
図１３は、ショートムービーの延長時間とアイコンの遷移との対応関係を示す図である。図１３において、図１３（ａ）が動画スイッチ５２の押下タイミングを示し、図１３（ｂ）がアイコンＨ２０の表示態様を示す。また、図１３（ａ）において、パルスの立ち下がりが動画スイッチ５２を押下したタイミングを示す。なお、図１３においては、ショートムービーの撮影時間は、２秒とし、最大撮影時間を８秒として説明する。
【００６６】
図１３に示すように、撮影制御部７３は、時刻ｔ０で動画スイッチ５２が押下された場合、撮像部２によるショートムービーの撮影を開始する。また、表示制御部７６は、アイコンＨ２０の時間領域Ｄ１および減少領域Ｄ２の表示態様を時間の経過とともに変更して表示部３に表示させる。そして、時刻ｔ２で動画スイッチ５２が押下された場合、撮影制御部７３は、撮像部２によるショートムービーの撮影時間を延長する。また、表示制御部７６は、アイコンＨ２０の時間領域Ｄ１の時間を初期状態（２秒）に変更して表示部３に表示させる。時刻ｔ２後、動画スイッチ５２が押下され続けている場合、撮影制御部７３は、ショートムービーの開始から８秒経過するまで撮像部２によるショートムービーの撮影時間を延長して継続させる（時刻ｔ4）。また、表示制御部７６は、動画スイッチ５２が押下され続けている場合、ショートムービーの撮影時間が６秒を経過したとき（時刻ｔ3）、アイコンＨ２０の表示態様を変更する。
【００６７】
図１４は、ショートムービーの延長時間とアイコンの遷移との対応関係を示す図である。図１４において、図１４（ａ）が動画スイッチ５２の押下タイミングを示し、図１４（ｂ）がアイコンＨ２０の表示態様を示す。また、図１４（ａ）において、パルスの立ち下がりが動画スイッチ５２を押下したタイミングを示す。なお、図１４においては、ショートムービーの撮影時間は、２秒とし、最大撮影時間を８秒として説明する。
【００６８】
図１４に示すように、撮影制御部７３は、時刻ｔ0で動画スイッチ５２が押下された場合、撮像部２によるショートムービーの撮影を開始する。また、表示制御部７６は、アイコンＨ２０の時間領域Ｄ１および減少領域Ｄ２の表示態様を時間の経過とともに変更して表示部３に表示させる。そして、時刻ｔ2で動画スイッチ５２が押下された場合、撮影制御部７３は、撮像部２によるショートムービーの撮影時間を延長する。また、表示制御部７６は、アイコンＨ２０の時間領域Ｄ１の時間を初期状態（２秒）に変更して表示部３に表示させる。時刻ｔ2後、動画スイッチ５２が押下され続けている場合、撮影制御部７３は、ショートムービーの撮影時間を延長し続ける。このとき、表示制御部７６は、アイコンＨ２０の時間領域Ｄ１および減少領域Ｄ２の表示領域を２秒に固定して表示部３に表示させる。その後、時刻ｔ3で動画スイッチ５２の押下が終了した場合、撮影制御部７３は、撮像部２にショートムービーを２秒に設定して撮影を続行させる（時刻ｔ4）。このとき、表示制御部７６は、アイコンＨ２０の時間領域Ｄ１および減少領域Ｄ２の表示態様を時間の経過とともに変更して表示部３に表示させる。
【００６９】
図１０に戻り、ステップＳ３０６以降の説明を続ける。
ステップＳ３０６において、撮像部２によるショートムービーの所定時間が経過した場合（ステップＳ３０６：Ｙｅｓ）、撮像装置１は、ステップＳ３０８へ移行する。これに対して、撮像部２によるショートムービーの所定時間が経過していない場合（ステップＳ３０６：Ｎｏ）、撮像装置１は、ステップＳ３０３へ戻る。
【００７０】
ステップＳ３０２において、撮像装置１がショートムービーモードに設定されていない場合（ステップＳ３０２：Ｎｏ）、撮像装置１は、ステップＳ３０７へ移行する。
【００７１】
続いて、動画スイッチ５２から終了信号が入力される終了操作があった場合（ステップＳ３０７：Ｙｅｓ）、撮影制御部７３は、撮像部２の動画撮影を終了する（ステップＳ３０８）。ステップＳ３０８の後、撮像装置１は、後述するステップＳ３０９へ移行する。
これに対して、動画スイッチ５２に対して動画の終了操作がない場合（ステップＳ３０７：Ｎｏ）、撮像装置１は、ステップＳ３０２へ戻る。
【００７２】
ステップＳ３０９において、サムネイル生成部７４は、動画データを構成する複数のフレームの画像データのうち、最初のフレーム（コマ）の画像データに基づいて、動画サムネイルを生成する。
【００７３】
図１５は、サムネイル生成部７４が生成する動画サムネイルの生成方法を模式的に説明する図である。図１５に示すように、サムネイル生成部７４は、動画データを構成する複数のフレームの画像データのうち最初のフレームＥ１に対して表示領域および画像データを縮小するリサイズ処理を行ってリサイズ画像ｅ１を生成し、このリサイズ画像ｅ１を記録部６に記録されたテンプレートＴ１に合成することによって、動画サムネイルＢ１を生成する（図１５（ａ）→図１５（ｂ）→図１５（ｃ））。ここで、テンプレートＴ１には、撮影時刻が異なるショートムービーを結合可能なことを示す情報を表示する表示領域Ｒ１（のりしろ領域）を有する。サムネイル生成部７４は、リサイズ画像ｅ１の中心とテンプレートＴ１の中心とが一致するように合成することによって動画サムネイルＢ１を生成する。これにより、表示領域Ｒ１は、リサイズ画像ｅ１の両端に設けられる。この結果、ユーザは、撮影時刻が異なる他のショートムービーを連結可能であることを直感的に把握することができる。なお、本実施の形態では、通常動画モードで撮影された動画データあっても、上述した動画サムネイルを生成する。また、本実施の形態では、撮影時刻が異なるショートムービーを結合可能なことを示す情報を黒塗りで表現したが、例えば文字や図形等であってもよい。さらに、撮影時刻が異なるショートムービーを結合可能なことを示す情報を画像やリサイズ画像ｅ１の一部を複製したものであってもよい。
【００７４】
その後、撮像装置１の動画モードがショートムービーモードに設定されている場合（ステップＳ３１０：Ｙｅｓ）、撮像装置１は、ステップＳ３１２へ移行する。これに対して、撮像装置１の動画がショートムービーモードに設定されていない場合（ステップＳ３１０：Ｎｏ）、表示制御部７６は、通常動画の最初のフレームを表示部３に表示させる（ステップＳ３１１）。ステップＳ３１１の後、撮像装置１は、後述するステップＳ３２５へ移行する。
【００７５】
ステップＳ３１２において、表示制御部７６は、撮像部２によって撮影されたショートムービーに連結可能なアルバムサムネイルを表示部３に表示させるとともに、撮像部２によって撮影されたショートムービーに対応する動画を繰り返し表示部３に再生して表示させる。具体的には、図１６に示すように、表示制御部７６は、撮像部２によって撮影されたショートムービーに連結可能なショートムービー（最新のショートムービーの前に生成されたショートムービー）のアルバムサムネイルＵ１を表示部３に表示させるとともに、撮像部２によって撮影された最新のショートムービーに対応する動画を繰り返し表示部３に再生して表示させることによって（フレームＥ１→Ｅ２→・・・→Ｅｎ（ｎは３以上の整数）、最新のショートムービーを他のショートムービーと識別可能な表示態様で標示部３に表示させる。これにより、ユーザは、撮影したショートムービーの内容および連結可能な他のショートムービーの内容を把握することができる。なお、表示制御部７６は、最新のショートムービーの表示領域に対して枠（カーソル枠）を重畳して他のショートムービーと識別可能な表示態様で表示部３に表示させてもよい。
【００７６】
続いて、十字スイッチ５３が操作された場合（ステップＳ３１３：Ｙｅｓ）、表示制御部７６は、ショートムービーを停止し、このショートムービーの動画サムネイルを表示部３に表示させる（ステップＳ３１４）。
【００７７】
十字スイッチ５３の左右スイッチ場合（ステップＳ３１５：Ｙｅｓ）において、左スイッチのとき（ステップＳ３１６：Ｙｅｓ）、画像処理部７１は、十字スイッチ５３から入力される変更信号に基づいて、最新のショートムービーの連結位置を変更して撮影時刻が異なる他のショートムービーと連結する（ステップＳ３１７）。具体的には、図１７に示すように、画像処理部７１は、最新のショートムービーの連結位置を最新の位置（最後の位置）から直前に撮影されたショートムービーの位置に変更して連結する。この場合、サムネイル生成部７４は、ショートムービーの連結順に生成したアルバムサムネイルを生成する。さらに、表示制御部７６は、図１７に示すようにサムネイル生成部７４が生成したアルバムサムネイルＵ２を表示部３に表示させる。さらにまた、表示制御部７６は、現在選択されているショートムービーに対応するリサイズ画像ｅ１のサムネイルに枠Ｇ１（カーソル枠）を重畳して表示部３に表示させる。これにより、ユーザは、最新のショートムービーの位置を直感的に把握することができるとともに、撮影直後にショートムービーの編集操作を行うことができる。ステップＳ３１７の後、撮像装置１は、後述するステップＳ３２２へ移行する。
【００７８】
ステップＳ３１５において、十字スイッチ５３の左右スイッチである場合（ステップＳ３１５：Ｙｅｓ）において、左スイッチでないとき、即ち右スイッチのとき（ステップＳ３１６：Ｎｏ）、記録制御部７５は、最新のショートムービーを記録する新規アルバムをショートムービー記録部６３に生成する（ステップＳ３１８）。ステップＳ３１８の後、撮像装置１は、後述するステップＳ３２２へ移行する。
【００７９】
ステップＳ３１５において、十字スイッチ５３の左右スイッチでない場合（ステップＳ３１５：Ｎｏ）において、十字スイッチ５３の上スイッチであるとき（ステップＳ３１９：Ｙｅｓ）、記録制御部７５は、最新のショートムービーを通常動画に変更する（ステップＳ３２０）。ステップＳ３２０の後、撮像装置１は、後述するステップＳ３２２へ移行する。
【００８０】
ステップＳ３１５において、十字スイッチ５３の左右スイッチでない場合（ステップＳ３１５：Ｎｏ）において、十字スイッチ５３の上スイッチでないとき、即ち下スイッチのとき（ステップＳ３１９：Ｎｏ）、画像処理部７１は、最新のショートムービーを連結するアルバムを別のアルバムに移動して連結する（ステップＳ３２１）。この場合、サムネイル生成部７４は、別のアルバムにおいてショートムービーの連結順に生成したアルバムサムネイルＵ３を生成する。さらに、表示制御部７６は、図１８に示すようにサムネイル生成部７４が生成したアルバムサムネイルＵ３およびアルバムサムネイルＵ１を並列させて表示部３に表示させる。アルバムサムネイルＵ３は、互いに撮影時刻が異なる２つのショートムービーを構成する複製の画像データのうち最初のフレームの画像データをリサイズしたリサイズ画像データに対応するリサイズ画像ｆ１００、リサイズ画像ｆ１１０およびリサイズ画像ｅ１を含む。この場合、画像処理部７１は、別のアルバムにおける複数のショートムービーのうち最も新しいショートムービーの後に、最新のショートムービーを連結する。さらにまた、表示制御部７６は、現在選択されているショートムービーに対応するリサイズ画像ｅ１のサムネイルに枠Ｇ１を重畳して表示部３に表示させる。これにより、ユーザは、各アルバムの内容を確認しながら撮影直後にショートムービーの編集操作を行うことができる。この結果、画像処理装置等を用いて行う編集操作を省略することができる。ステップＳ３２１の後、撮像装置１は、後述するステップＳ３２２へ移行する。
【００８１】
ステップＳ３２２において、十字スイッチ５３の操作があった場合（ステップＳ３２２：Ｙｅｓ）、表示制御部７６は、十字スイッチ５３の操作に応じてアルバムにおける動画サムネイルの位置を変更して表示部３に表示させる（ステップＳ３２３）。ステップＳ３２３の後、撮像装置１は、後述するステップＳ３２４へ移行する。
【００８２】
ステップＳ３２２において、十字スイッチ５３の操作がなかった場合（ステップＳ３２２：Ｎｏ）、撮像装置１は、後述するステップＳ３２４へ移行する。
【００８３】
続いて、ＯＫスイッチ５４が操作された場合（ステップＳ３２４：Ｙｅｓ）、撮像装置１は、ステップＳ３２５へ移行する。これに対して、ＯＫスイッチ５４が操作されていない場合（ステップＳ３２４：Ｎｏ）、撮像装置１は、ステップＳ３１５へ戻る。
【００８４】
ステップＳ３２５において、記録制御部７５は、サムネイル生成部７４が生成した動画サムネイルと動画データとを対応付けて記録部６に記録する（ステップＳ３２５）。例えば、撮像装置１がショートムービーモードに設定されている場合、記録制御部７５は、サムネイル生成部７４が生成した動画サムネイルと、ショートムービーと、このショートムービーを連結するアルバムの情報と、を対応付けてショートムービー記録部６３に記録する。ステップＳ３２５の後、撮像装置１は、図２のメインルーチンへ戻る。
【００８５】
次に、図２のステップＳ１１３で説明した再生表示処理の詳細について説明する。図１９は、再生表示処理の概要を示すフローチャートである。
【００８６】
図１９に示すように、表示制御部７６は、記録部６に記録された画像データまたは動画データの静止画サムネイルまたは動画サムネイルを表示部３に順次表示するサムネイル表示を開始する（ステップＳ４０１）。
【００８７】
続いて、サムネイルを表示する画像ファイルが静止画である場合（ステップＳ４０２：Ｙｅｓ）、表示制御部７６は、画像ファイルに記録された静止画サムネイルを表示部３に表示させる（ステップＳ４０３）。ステップＳ４０３の後、撮像装置１は、後述するステップＳ４０８へ移行する。
【００８８】
ステップＳ４０２において、サムネイルを表示する画像ファイルが静止画でない場合（ステップＳ４０２：Ｎｏ）、撮像装置１は、ステップＳ４０４へ移行する。
【００８９】
続いて、サムネイルを表示する画像ファイルに記録された動画データがショートムービーである場合（ステップＳ４０４：Ｙｅｓ）、表示制御部７６は、ショートムービーの動画サムネイル（例えば図１５（ｃ）を参照））を表示部３に表示させる（ステップＳ４０５）。ステップＳ４０５の後、撮像装置１は、ステップＳ４０８へ移行する。
【００９０】
ステップＳ４０４において、サムネイルを表示する画像ファイルに記録された動画データがショートムービーでない場合（ステップＳ４０４：Ｎｏ）、サムネイル生成部７４は、画像ファイルに記録された動画サムネイルに基づいて、通常動画サムネイルを生成する（ステップＳ４０６）。
【００９１】
図２０は、サムネイル生成部７４が生成する通常動画サムネイルの生成方法を模式的に説明する図である。図２０に示すように、サムネイル生成部７４は、動画サムネイルＢ１のリサイズ画像Ｗ１を含む領域に対してトリミング処理を行って切り出し、このリサイズ画像Ｗ１に対して、撮影時刻が異なる他のショートムービーと連結可能なことを示す表示領域Ｒ１を覆う領域まで拡大するリサイズ処理を行うことによって通常動画サムネイルＭ１０を生成する（図２０（ａ）→図２０（ｂ））。これにより、一つの動画サムネイルＢ１を使い回すことによって、撮影時における処置（記録処理）を簡略化することができる。さらに、ユーザは、動画サムネイルＢ１と通常動画サムネイルＭ１０との表示態様が異なるので、ショートムービーと通常動画とをより直感的に把握することができる。また、サムネイル生成部７４は、ユーザが操作部５またはタッチパネル４を操作することによって、ショートムービーを通常動画に切り換えた場合、動画サムネイルＢ１のリサイズ画像Ｗ１を含む領域に対してトリミング処理を行って切り出し、このリサイズ画像Ｗ１に対して、撮影時刻が異なる他のショートムービーと連結可能なことを示す表示領域Ｒ１を覆う領域まで拡大するリサイズ処理を行うことによって通常動画サムネイルＭ１０を生成してもよい。
【００９２】
続いて、表示制御部７６は、サムネイル生成部７４が生成した通常動画サムネイルＭ１０を表示部３に表示させる（ステップＳ４０７）。ステップＳ４０７の後、撮像装置１は、ステップＳ４０８へ移行する。
【００９３】
その後、制御部７は、サムネイル表示の一覧が終了したか否かを判断する（ステップＳ４０８）。具体的には、図２１に示すように、制御部７は、表示部３の表示領域上に所定の枚数（例えば４枚または２５枚）のサムネイル（静止画サムネイルＰ１，静止画サムネイルＰ２、動画サムネイルＢ１および通常動画サムネイルＭ１０）を表示したか否かを判断することによって、サムネイル表示の一覧が終了したか否かを判断する。この場合、表示制御部７６は、動画サムネイルＢ１および通常動画サムネイルＭ１０それぞれを識別可能な情報としてアイコンＨ１０およびアイコンＨ１１を動画サムネイルＢ１および通常動画サムネイルＭ１０それぞれの表示領域に重畳して表示部３に表示させる。これにより、ショートムービーと通常動画とをより直感的に把握することができる。制御部７によってサムネイル表示の一覧が終了したと判断された場合（ステップＳ４０８：Ｙｅｓ）、撮像装置１は、後述するステップＳ４１０へ移行する。これに対して、制御部７によってサムネイル表示の一覧が終了していないと判断された場合（ステップＳ４０８：Ｎｏ）、制御部７は、次のサムネイルを表示するため、次の画像ファイルを記録部６から取得する（ステップＳ４０９）。ステップＳ４０９の後、撮像装置１は、ステップＳ４０２へ戻る。
【００９４】
ステップＳ４１０において、操作部５が操作され、表示部３が表示する複数のサムネイルのいずれか一つが選択された場合（ステップＳ４１０：Ｙｅｓ）、表示制御部７６は、選択されたサムネイルに対応する画像ファイルを表示部３に再生して表示させる（ステップＳ４１１）。この場合において、ユーザが操作部５またはタッチパネル４を操作することによって、ショートムービーを通常動画に切り換えたとき、サムネイル生成部７４は、動画サムネイルＢ１のリサイズ画像Ｗ１を含む領域に対してトリミング処理を行って切り出し、このリサイズ画像Ｗ１に対して、撮影時刻が異なる他のショートムービーと連結可能なことを示す表示領域Ｒ１を覆う領域まで拡大するリサイズ処理を行うことによって通常動画サムネイルＭ１０を生成し、記録制御部７５がサムネイル生成部７４によって生成された通常動画サムネイルＭ１０と操作部５またはタッチパネル４を介して選択されたショートムービーとを対応付けて、通常動画データとして動画データ記録部６４に記録してもよい。さらに、記録制御部７５は、通常動画データに切り換えたショートムービーをショートムービー記録部６３のアルバムから削除してもよい。ステップＳ４１１の後、撮像装置１は、ステップＳ４１２へ移行する。
【００９５】
続いて、操作部５が操作され、再生を終了する場合（ステップＳ４１２：Ｙｅｓ）、撮像装置１は、図２のメインルーチンへ戻る。これに対して、操作部５が操作されず、再生を終了しない場合（ステップＳ４１２：Ｎｏ）、撮像装置１は、ステップＳ４０１へ戻る。
【００９６】
ステップＳ４１０において、操作部５が操作されず、表示部３が表示する複数のサムネイルのいずれか一つが選択されなかった場合（ステップＳ４１０：Ｎｏ）、撮像装置１は、ステップＳ４１２へ移行する。
【００９７】
次に、図２のステップＳ１１５で説明した編集処理の詳細について説明する。図２２は、編集処理の概要を示すフローチャートである。
【００９８】
図２２に示すように、複数のショートムービーを編集する場合（ステップＳ５０１：Ｙｅｓ）、表示制御部７６は、複数のショートムービーそれぞれに対応する動画サムネイルおよび静止画データに対応する静止画サムネイルを表示部３に表示させる（ステップＳ５０２）。具体的には、図２３に示すように、表示制御部７６は、複数のショートムービーそれぞれに対応する動画サムネイルＢ１〜Ｂ３を表示部３に表示させるとともに、静止画データに対応する静止画サムネイルＢ４を表示部３に表示させる。この場合、表示制御部７６は、ショートムービー記録部６３にフレームレートおよび動画フォーマットそれぞれに生成されたアルバム毎に記録されたショートムービーの動画サムネイル、このアルバムのショートムービーに連結可能な静止画データに対応する静止画サムネイルを表示部３に表示させる。例えば、図２４に示すように、表示制御部７６は、ショートムービー記録部６３にフレームレートおよび動画フォーマットそれぞれに生成されたアルバムＡ１に記録されたショートムービーのファイルＷ〜Ｙの動画サムネイルＢ１〜Ｂ３およびファイルＺの静止画サムネイルＢ４を表示部３に表示させる。ファイルＷ〜Ｙの各々には、動画サムネイルＢ１〜Ｂ３およびショートムービーとしての動画データＷ〜Ｙがそれぞれ記録されている。さらに、ファイルＺには、静止画サムネイルＢ４と静止画データＺがそれぞれ記録されている。
【００９９】
続いて、タッチパネル４に対して、タッチされた場合（ステップＳ５０３：Ｙｅｓ）、撮像装置１は、後述するステップＳ５０４へ移行する。これに対して、タッチパネル４に対して、タッチされていない場合（ステップＳ５０３：Ｎｏ）、撮像装置１は、図２のメインルーチンへ戻る。
【０１００】
ステップＳ５０４において、判定部７７は、タッチパネル４から入力された位置信号に基づいて、動画サムネイルの連結部がタッチされたか否かを判定する。具体的には、判定部７７は、タッチパネル４から入力される位置信号に基づいて、動画サムネイルの表示領域Ｒ１がタッチされたか否かを判定する。判定部７７によって動画サムネイルの連結部がタッチされたと判定された場合（ステップＳ５０４：Ｙｅｓ）、撮像装置１は、後述するステップＳ５０５へ移行する。これに対して、判定部７７によって動画サムネイルの連結部がタッチされていない、即ち動画サムネイルまたは静止画サムネイルがタッチされたと判定された場合（ステップＳ５０４：Ｎｏ）、撮像装置１は、後述するステップＳ５０９へ移行する。
【０１０１】
ステップＳ５０５において、他にショートムービーの連結候補がある場合（ステップＳ５０５：Ｙｅｓ）、制御部７は、他のショートムービーの連結候補を、ショートムービーの連結候補から解除する（ステップＳ５０６）。具体的には、制御部７は、上述したステップＳ５０４でユーザが表示領域Ｒ１にタッチして選択したショートムービー以前に、既に連結候補のショートムービーが選択されている場合、このショートムービーを連結候補から解除する。
【０１０２】
続いて、画像処理部７１は、ショートムービーの連結候補を設定する（ステップＳ５０７）。
【０１０３】
その後、連結するショートムービーがある場合（ステップＳ５０８：Ｙｅｓ）、画像処理部７１は、連結候補のショートムービーを連結する連結処理を実行する（ステップＳ５１４）。具体的には、画像処理部７１は、上述した図５に示すように、撮影時刻が異なる複数のショートムービーを連結する、または上述した図８に示すように撮影時刻が異なるショートムービーと静止画データを複製した動画データとを連結する。ステップＳ５１４の後、撮像装置１は、後述するステップＳ５１５へ移行する。
【０１０４】
ステップＳ５０９において、他にショートムービーの連結候補がある場合（ステップＳ５０９：Ｙｅｓ）、制御部７は、他のショートムービーの連結候補を、ショートムービーの連結候補から解除する（ステップＳ５１０）。具体的には、制御部７は、上述したステップＳ５０４でユーザが動画サムネイルにタッチして選択したショートムービー以前に、既に連結候補のショートムービーが選択されている場合、このショートムービーを連結候補から解除する。
【０１０５】
続いて、選択された連結候補がショートムービーの場合（ステップＳ５１１：Ｙｅｓ）、撮像装置１は、ステップＳ５１０へ移行する。これに対して、選択された連結候補がショートムービーでない場合（ステップＳ５１１：Ｎｏ）、撮像装置１は、後述するステップＳ５１２へ移行する。
【０１０６】
ステップＳ５１２において、制御部７は、選択された連結候補が静止画であるか否かを判断する。具体的には、図２３に示すように、制御部７は、タッチパネル４を介して静止画サムネイルＢ４が選択されたか否かを判断する。制御部７によって選択された連結候補が静止画であると判断された場合（ステップＳ５１２：Ｙｅｓ）、撮像装置１は、後述するステップＳ５１３へ移行する。これに対して、制御部７によって選択された連結候補が静止画でないと判断された場合（ステップＳ５１２：Ｎｏ）、撮像装置１は、ステップＳ５０４へ戻る。
【０１０７】
ステップＳ５１３において、画像処理部７１は、アルバムＡ１に記録された各ショートムービーの動画データＷ〜Ｙと、動画生成部７８によって生成された静動画データとを連結して動画ファイルを生成する連結処理を行う。具体的には、図２５に示すように、画像処理部７１は、図２４に示すアルバムＡ１の記録された各ショートムービーの動画データＷ〜Ｙと、動画生成部７８によって静止画データＺを複製して生成された動画データＺ１とを連結して動画ファイルＧ１００を生成する連結処理を実行する。ステップＳ５１３の後、撮像装置１は、ステップＳ５１４へ移行する。このような工夫で、例えば、一定時間内に再度録画されても、違う設定であれば同一とはみなさず、やみくもに動画を自動連結して、同一の動画として、ユーザの意志に反した動画となってしまうことを防止することも出来る。また、同じショートムービーの設定でも、撮影後にユーザに連結をするかしないか選ばせるような仕様としてもよい。なお、連結といっても、完全に一つの動画にしなくてもよく、動画を繋げる情報を動画ファイルその他に入れるだけにしても良い。その場合、後で、繋げたものを分離したり、再利用したりすることも可能である。後述する図２５のようなファイル形式にすれば、自由度の高い取捨選択が可能となる。
【０１０８】
ステップＳ５１５において、サムネイル生成部７４は、アルバムサムネイルを生成する具体的には、図２６に示すように、サムネイル生成部７４は、画像処理部７１によって連結された複数のショートムービーの動画サムネイルのうち、少なくとも、最初のショートムービーのフレームデータＦ２１、中間のショートムービーのフレームデータＦ２２および複製動画データのフレームデータＦ３０に基づいて、通常動画サムネイルＭ２００を生成する。
【０１０９】
続いて、表示制御部７６は、サムネイル生成部７４が生成したショートムービーのアルバムサムネイルを表示部３に表示させる（ステップＳ５１６）。
【０１１０】
その後、記録制御部７５は、ショートムービーを通常動画に変換して動画データ記録部６４に記録する（ステップＳ５１７）。
【０１１１】
以上説明した本発明の一実施の形態によれば、動画生成部７８がショートムービーの撮影時間に対応するフレームの数だけ複製して複製タイミング毎に時系列に沿って並べた複製動画データを生成し、画像処理部７１が動画生成部７８によって生成された複製動画データと、ショートムービー記録部６３に記録されたショートムービーとを連結させて１つの結合動画データを生成する。これにより、静止画と動画を用いた新たな表示の仕方を実現することができる。ショートムービーは、画面転換の多い、見ていて飽きない新たな動画撮影／再生が出来るが、通常動画や静止画もそれぞれに用途があり、また、時として、ショートムービーの一環として扱えるようにして、映像表現の自由度を上げながら、簡単な操作を実現している。
【０１１２】
また、本発明の一実施の形態によれば、撮像装置１がショートムービーモードに設定されている場合において、レリーズスイッチ５１がレリーズ信号の入力を受け付けたとき、動画生成部７８が撮像部２によって生成された静止画データを用いて複製動画データを生成し、画像処理部７１が複製動画データとショートムービーとを連結させた結合動画データを生成する。これにより、自動的に静止画データをショートムービーに結合することができるとともに、動画データと静止画データとを連結させて１つの動画データを生成する場合であって、動画データから静止画データの遷移を自然にすることができる。
【０１１３】
また、本発明の一実施の形態によれば、表示制御部７６が撮像装置１の静止撮影の直後に、サムネイル生成部７４が生成したアルバムサムネイルを表示部３に表示させるので、結合したショートムービーとの繋がり具合を直感的に把握することができる。
【０１１４】
また、本発明の一実施の形態によれば、表示部３がアルバムサムネイルを表示している場合において、十字スイッチ５３が操作されたとき、画像処理部７１が複製動画データを結合する位置を変更する。これにより、撮影した直後に編集することができる。
【０１１５】
なお、本発明の一実施の形態では、動画処理におけるショートムービーの撮影直後において十字スイッチ５３が操作された場合、ショートムービーを結合する位置、ショートムービーのアルバムの種類、通常動画への変更および新規アルバムの作成等を行っていたが、例えば動画生成部７８が複製動画データを生成した直後に、十字スイッチ５３が操作された場合、複製動画データを結合する位置、ショートムービーのアルバムの種類、通常の静止画データおよび新規アルバムの作成を行ってもよい。
【０１１６】
また、本発明の一実施の形態では、動画生成部７８が結合するショートムービーの撮影時間に対応するフレームの数だけ複製した複製動画データを生成していたが、例えばショートムービーとショートムービーとを結合した結合動画データにおいて、最も撮影時間が短いショートムービーの撮影時間に対応するフレームの数だけ複製して複製動画データを生成してもよいし、予め決められた時間（例えば２秒）になるように静止画データに対応する静止画を複製して複製動画データを生成してもよい。
【０１１７】
また、本発明の一実施の形態では、動画生成部７８が結合するショートムービーの撮影時間に対応するフレームの数だけ複製した複製動画データを生成していたが、例えば撮像部２が被写体を連続的に撮影（連写撮影）して生成した複数の静止画データを用いて複製動画データを生成してもよい。この場合、動画生成部７８は、複数の静止画データの各々を複製することによって、ショートムービーの撮影時間に対応するよう複製動画データを生成してもよい。
【０１１８】
（その他の実施の形態）
また、本発明に係る撮像装置は、デジタルスチイルカメラ以外にも、デジタルビデオカメラ、撮像機能を有するタブレット型携帯機器等の電子機器および内視鏡や顕微鏡で撮像された医療用、産業用分野の画像データに対応する画像を表示する表示装置等にも適用することができる。内視鏡に用いる場合において、例えばＮＢＩ観察を行っているとき、ＮＢＩ観察を所定時間だけ撮像させ、この所定時間を経過した場合、通常の観察に戻すようにしてもよい。特に検査装置で記録画像から目視判断する場合は、対象物に対して、即座に画質モード選べたり、接続する、しないを選べたりする仕様は大変便利で、緊迫した状況での利用で便利であり、決定的瞬間を逃すことがない。不要なシーンを記録しない場合などはショートムービーが無駄がなくてよい。また、重要な部位は動画の中でも画質を上げて静止画撮影してもよい。動画の中に静止画を織り込んだ場合、さっと全体を概観したい場合があるが、今回の発明を適用すれば、静止画が動画化されて表示され、そこに遷移効果などもあれば、見逃さず、正確な判断が可能となる。静止画が始まる遷移効果や音声情報付与などで、重要な部分を見逃さないような工夫も可能である。本発明の特徴たる細切れ動画の連結選択で重要なハイライトシーンだけの報告を簡単に行うことも出来る。
【０１１９】
また、本発明に係る撮像装置に実行させるプログラムは、インストール可能な形式または実行可能な形式のファイルデータでＣＤ−ＲＯＭ、フレキシブルディスク（ＦＤ）、ＣＤ−Ｒ、ＤＶＤ（Digital  Versatile  Disk）、ＵＳＢ媒体、フラッシュメモリ等のコンピュータで読み取り可能な記録媒体に記録されて提供される。
【０１２０】
また、本発明に係る撮像装置に実行させるプログラムは、インターネット等のネットワークに接続されたコンピュータ上に格納し、ネットワーク経由でダウンロードさせることにより提供するように構成してもよい。さらに、本発明に係る撮像装置に実行させるプログラムをインターネット等のネットワーク経由で提供または配布するように構成しても良い。
【０１２１】
なお、本明細書におけるフローチャートの説明では、「まず」、「その後」、「続いて」等の表現を用いてステップ間の処理の前後関係を明示していたが、本発明を実施するために必要な処理の順序は、それらの表現によって一意的に定められるわけではない。即ち、本明細書で記載したフローチャートにおける処理の順序は、矛盾のない範囲で変更することができる。
【０１２２】
このように、本発明は、ここでは記載していない様々な実施の形態を含みうるものであり、特許請求の範囲によって特定される技術的思想の範囲内で種々の設計変更等を行うことが可能である。
【０１２３】
（付記項１）
被写体を撮像し、該被写体の静止画データまたは動画データを生成可能な撮像部と、
前記動画データに対応する動画を表示可能な表示部と、
前記撮像部に前記動画データの生成を開始させる開始信号および前記動画データの生成を終了させる終了信号の入力を受け付ける動画スイッチと、
前記動画スイッチが前記開始信号の入力を受け付けた場合、前記動画スイッチが前記開始信号の入力を受け付けてから前記終了信号の入力を受け付けるまで前記撮像部に前記動画データを生成させる第１動画モード、または前記動画スイッチが入力されてから予め設定された時間だけ前記撮像部に前記動画データを生成させる第２動画モードであって、異なる撮影時刻に前記撮像部によって生成された別の前記動画データを結合可能な第２動画モードで前記撮像部に前記動画データを生成させる撮影制御部と、
前記撮像部が生成した前記動画データに基づいて、該動画データを代表するサムネイルデータを生成するサムネイル生成部と、
前記第２動画モードで前記撮像部によって生成された最新の前記動画データを、該動画データの生成前に前記第２動画モードで前記撮像部によって生成された直前の前記動画データと関連付けて記録媒体に記録する記録制御部と、
前記サムネイル生成部が前記第２動画モードで前記撮像部によって生成された最新の前記動画データの生成前に生成した前記直前の前記動画データの前記サムネイルおよび前記最新の前記動画データに対応する動画を認識可能な表示態様で前記表示部に表示させる表示制御部と、
を備えたことを特徴とする撮像装置。
（付記項２）
前記表示制御部は、前記最新の前記動画データに対応する動画の表示領域に対して枠を重畳して前記表示部に表示させることを特徴とする付記項１に記載の撮像装置。
（付記項３）
前記表示制御部は、前記最新の前記動画データに対応する動画を繰り返し再生して前記表示部に表示させることを特徴とする請求項１または２に記載の撮像装置。
（付記項４）
前記第１動画モードまたは前記第２動画モード、および前記撮像部が生成する前記動画データのフレームレートと、画像サイズと、画質と、を含む動画フォーマットを当該撮像装置に設定する設定部と、
前記第１動画モードまたは前記第２動画モード、および前記動画フォーマットを選択する選択信号の入力を受け付ける入力部と、
を備え、
前記表示制御部は、前記撮像部が連続的に生成した前記静止画データに対応するライブビュー画像を前記表示部に表示させるとともに、該ライブビュー画像上に前記第１動画モードに関する情報、前記第２動画モードに関する情報、前記動画フォーマットに関する情報を重畳して前記表示部に表示させ、
前記設定部は、前記入力部が受け付けた前記選択信号に応じて、前記第１動画モードまたは前記第２動画モード、および前記動画フォーマットを当該撮像装置に設定し、
前記撮影制御部は、前記設定部が設定した設定内容に応じて、前記撮像部に前記動画データを生成させることを特徴とする付記項１〜３のいずれか一つに記載の撮像装置。
（付記項５）
被写体を撮像し、該被写体の静止画データまたは動画データを生成可能な撮像部と、前記動画データに対応する動画を表示可能な表示部と、前記撮像部に前記動画データの生成を開始させる開始信号および前記動画データの生成を終了させる終了信号の入力を受け付ける動画スイッチと、を備えた撮像装置が実行する撮像方法であって、
前記動画スイッチが前記開始信号の入力を受け付けた場合、前記動画スイッチが前記開始信号の入力を受け付けてから前記終了信号の入力を受け付けるまで前記撮像部に前記動画データを生成させる第１動画モード、または前記動画スイッチが入力されてから予め設定された時間だけ前記撮像部に前記動画データを生成させる第２動画モードであって、異なる撮影時刻に前記撮像部によって生成された別の前記動画データを結合可能な第２動画モードで前記撮像部に前記動画データを生成させる撮影制御ステップと、
前記撮像部が生成した前記動画データに基づいて、該動画データを代表するサムネイルデータを生成するサムネイル生成ステップと、
前記第２動画モードで前記撮像部によって生成された最新の前記動画データを、該動画データの生成前に前記第２動画モードで前記撮像部によって生成された直前の前記動画データと関連付けて記録媒体に記録する記録制御ステップと、
前記サムネイル生成ステップにおいて前記第２動画モードで前記撮像部によって生成された最新の前記動画データの生成前に生成した前記直前の前記動画データの前記サムネイルおよび前記最新の前記動画データに対応する動画を認識可能な表示態様で前記表示部に表示させる表示制御ステップと、
を含むことを特徴とする撮像方法。
（付記項６）
被写体を撮像し、該被写体の静止画データまたは動画データを生成可能な撮像部と、前記動画データに対応する動画を表示可能な表示部と、前記撮像部に前記動画データの生成を開始させる開始信号および前記動画データの生成を終了させる終了信号の入力を受け付ける動画スイッチと、を備えた撮像装置に、
前記動画スイッチが前記開始信号の入力を受け付けた場合、前記動画スイッチが前記開始信号の入力を受け付けてから前記終了信号の入力を受け付けるまで前記撮像部に前記動画データを生成させる第１動画モード、または前記動画スイッチが入力されてから予め設定された時間だけ前記撮像部に前記動画データを生成させる第２動画モードであって、異なる撮影時刻に前記撮像部によって生成された別の前記動画データを結合可能な第２動画モードで前記撮像部に前記動画データを生成させる撮影制御ステップと、
前記撮像部が生成した前記動画データに基づいて、該動画データを代表するサムネイルデータを生成するサムネイル生成ステップと、
前記第２動画モードで前記撮像部によって生成された最新の前記動画データを、該動画データの生成前に前記第２動画モードで前記撮像部によって生成された直前の前記動画データと関連付けて記録媒体に記録する記録制御ステップと、
前記サムネイル生成ステップにおいて前記第２動画モードで前記撮像部によって生成された最新の前記動画データの生成前に生成した前記直前の前記動画データの前記サムネイルおよび前記最新の前記動画データに対応する動画を認識可能な表示態様で前記表示部に表示させる表示制御ステップと、
を実行させることを特徴とするプログラム。
【符号の説明】
【０１２４】
１・・・撮像装置；２・・・撮像部；３・・・表示部；４・・・タッチパネル；５・・・操作部；６・・・記録部；７・・・制御部；５１・・・レリーズスイッチ；５２・・・動画スイッチ；５３・・・十字スイッチ；５４・・・ＯＫスイッチ；６１・・・プログラム記録部；６２・・・静止画データ記録部；６３・・・ショートムービー記録部；６４・・・動画データ記録部；７１・・・画像処理部；７２・・・設定部；７３・・・撮影制御部；７４・・・サムネイル生成部；７５・・・記録制御部；７６・・・表示制御部；７７・・・判定部；７８・・・動画生成部
【図１】
2016144137.tif 000003
【図２】
2016144137.tif 000004
【図３】
2016144137.tif 000005
【図４】
2016144137.tif 000006
【図５】
2016144137.tif 000007
【図６】
2016144137.tif 000008
【図７】
2016144137.tif 000009
【図８】
2016144137.tif 000010
【図９】
2016144137.tif 000011
【図１０】
2016144137.tif 000012
【図１１】
2016144137.tif 000013
【図１２】
2016144137.tif 000014
【図１３】
2016144137.tif 000015
【図１４】
2016144137.tif 000016
【図１５】
2016144137.tif 000017
【図１６】
2016144137.tif 000018
【図１７】
2016144137.tif 000019
【図１８】
2016144137.tif 000020
【図１９】
2016144137.tif 000021
【図２０】
2016144137.tif 000022
【図２１】
2016144137.tif 000023
【図２２】
2016144137.tif 000024
【図２３】
2016144137.tif 000025
【図２４】
2016144137.tif 000026
【図２５】
2016144137.tif 000027
【図２６】
2016144137.tif 000028